(57)【要約】      （修正有）【課題】ティッシュペーパー等の積層された被収納物を収納するためのケースにおいて、収納空間内の被収納物の量に関わらず被収納物と前記取出用開口とを接近させて被収納物を取り出しやすくしたケースを提供する。【解決手段】積層された被収納物Ｔを収納するための収納空間２ｓを内部に形成すべく１枚のシート素材を箱形に折り曲げてなりその正面に前記収納空間２ｓ内の被収納物Ｔを順次外部に取り出すための取出用開口４ａを備えたケース本体２と、このケース本体２を構成する前記シート素材を一体に延長することにより前記収納空間２ｓ内に設けられそのシート素材の弾性反発力を利用して前記被収納物Ｔを前記取出用開口４ａ側に付勢する弾性支持部３とを備えるようにする。【選択図】図３
0003177808.tif 000002
【実用新案登録請求の範囲】
【請求項１】
積層された被収納物を収納するための収納空間を内部に形成すべく１枚のシート素材を箱形に折り曲げてなりその正面に前記収納空間内の被収納物を順次外部に取り出すための取出用開口を備えたケース本体と、このケース本体を構成する前記シート素材を一体に延長することにより前記収納空間内に設けられそのシート素材の弾性反発力を利用して前記被収納物を前記取出用開口側に付勢する弾性支持部とを備えていることを特徴とするケース。
【請求項２】
前記ケース本体が、前記取出用開口を有する正面壁と、この正面壁と対向する背壁とを有するとともに、この背壁の対向する両側縁から前記シート素材を一体に延長することにより前記弾性支持部を設けている請求項１記載のケース。
【請求項３】
前記ケース本体が、正面視ほぼ長方形をなす前記正面壁と、この正面壁の対をなす長辺に面取り部を介してそれぞれ連続する対をなす長辺側周壁と、前記正面壁の対をなす短辺にそれぞれ連続する対をなす短辺側周壁と、これら短辺側周壁の一方に連続する前記背壁とを備えたものであり、前記正面壁の各長辺の形状が該正面壁の中央に向けて膨出する曲線状である請求項２記載のケース。
【請求項４】
前記弾性支持部が、背壁の両長辺からそれぞれ延出し蛇腹状に折り曲げられたばね部材と、これらばね部材の先端縁に設けられ前記被収納物を押圧する平板状の押し板とを備えたものである請求項２又は３記載のケース。
【請求項５】
前記ばね部材が、前記背壁との境界に位置し山折りされた基端側折り筋と、前記押し板との境界に位置し山折りされた先端側折り筋と、これら基端側折り筋と先端側折り筋との間に位置し谷折りされた中間折り筋とを備えてなる蛇腹状のものである請求項４記載のケース。
【請求項６】
前記ケース本体が、前記正面壁を起立させた姿勢で底面を形成する前記一方の長辺側周壁である底蓋と、前記正面壁を起立させた姿勢で上面を形成する前記他方の長辺側周壁である上蓋と、前記正面壁を起立させた姿勢でこのケース本体を保持すべく前記上蓋の後方に配される吊り下げ用パーツとを備え、この吊り下げ用パーツが、前記背壁から一体に延長して設けられたもので前記上蓋の下方に収納可能である請求項２、３、４又は５記載のケース。
【請求項７】
前記ケース本体が、前記短辺側周壁の下端から一体に延長することにより設けられ前記底蓋の内面に添接可能なフラップと、前記底蓋の後端から一体に延長することにより設けられ前記収納空間内に差し入れることが可能な差し込みパーツとを備え、この差し込みパーツが、その基端部の左右両端に前記フラップの後端部と係り合うことが可能な切込みを有する請求項６記載のケース。
【考案の詳細な説明】
【技術分野】
【０００１】
本考案は、ティッシュペーパー等の積層された被収納物を収納するための収納空間を内部に有するケースに関する。
【背景技術】
【０００２】
従来より、この種のケースとして、ティッシュペーパー等の積層された被収納物を収納するための収納空間を内部に形成すべく１枚のシート素材を箱形に折り曲げてなりその正面に前記収納空間内の被収納物を順次外部に取り出すための取出用開口を備えたものが知られている。このようなケースを利用するに際して、前記収納空間内の被収納物の量が少なくなると、被収納物と前記取出用開口とが離間することにより被収納物が取り出しにくくなる不具合が発生することがある。この不具合を解消するための手段として、ケースの背面から起立片を切り起こして剛性を有する底上げ構造体を形成し、この底上げ構造体により被収納物を支持するものが考えられている。
【０００３】
しかし、このような構成では、前記底上げ構造体の高さ寸法だけしか被収納物を取出用開口に近づけることができない。そのため、収納空間内の被収納物の量が極端に少なくなった場合には、被収納物と前記取出用開口とが離間し被収納物を取り出しにくくなる不具合が依然として存在する。
【考案の概要】
【考案が解決しようとする課題】
【０００４】
本考案は以上の点に着目し、収納空間内の被収納物の量に関わらず被収納物と前記取出用開口とを接近させて被収納物を取り出しやすくすることができる構成のケースを提供することを目的とする。
【課題を解決するための手段】
【０００５】
このような課題を解決すべく、本考案に掛かるケースは、以下のような構成を有する。すなわち本考案に係るケースは、積層された被収納物を収納するための収納空間を内部に形成すべく１枚のシート素材を箱形に折り曲げてなりその正面に前記収納空間内の被収納物を順次外部に取り出すための取出用開口を備えたケース本体と、このケース本体を構成する前記シート素材を一体に延長することにより前記収納空間内に設けられそのシート素材の弾性反発力を利用して前記被収納物を前記取出用開口側に付勢する弾性支持部とを備えている。ここで、本考案の「シート素材」とは、紙や合成樹脂等をシート状に形成したもの全般を含む概念である。また、「被収納物」は、複数個を積層して順次取り出されるものであれば何でもよく、例えば、ティッシュペーパー、ペーパータオル及びシート状の綿等が含まれる。
【０００６】
このようなケースの構成によれば、収納空間から被収納物が取り出されて被収納物の量が減少した際に、弾性支持部により被収納物が取出用開口側に付勢される。そのため、収納空間内の被収納物の量に関わらず正面側に位置する被収納物が常時取出用開口にほぼ密接した状態となる。従って、収納空間内の被収納物の量に関わらず被収納物を取り出しやすくすることができる。
【０００７】
このようなケースにおける前記ケース本体の具体的な構成の一例として、前記取出用開口を有する正面壁と、この正面壁と対向する背壁とを有するものが挙げられる。また、このようなケースに前記弾性支持部を設けるための具体的な構成の一例として、前記背壁の対向する両側縁から前記シート素材を一体に延長することにより前記弾性支持部を設けているものが挙げられる。
【０００８】
このようなケース本体のさらに具体的な構成の一例として、前記ケース本体が、正面視ほぼ長方形をなす前記正面壁と、この正面壁の対をなす長辺に面取り部を介してそれぞれ連続する対をなす長辺側周壁と、前記正面壁の対をなす短辺にそれぞれ連続する対をなす短辺側周壁と、これら短辺側周壁の一方に連続する前記背壁とを備えたものが挙げられる。このようなケース本体の型崩れを軽減するには、前記正面壁の各長辺の形状を該正面壁の中央に向けて膨出する曲線状にすることが望ましい。
【０００９】
このようなケースの弾性支持部の具体的な構成の一例として、背壁の両長辺からそれぞれ延出し蛇腹状に折り曲げられたばね部材と、これらばね部材の先端縁に設けられ前記被収納物を押圧する平板状の押し板とを備えたものが挙げられる。
【００１０】
このようなばね部材の好ましい構成の一例として、前記ばね部材が、背壁との境界に位置し山折りされた基端側折り筋と、押し板との境界に位置し山折りされた先端側折り筋と、これら基端側折り筋と先端側折り筋との間に位置し谷折りされた中間折り筋とを備えてなる蛇腹状であるものが挙げられる。
【００１１】
このようなケースの使用態様の多様性を図るには、前記ケース本体が、前記正面壁を起立させた姿勢で底面を形成する前記一方の長辺側周壁である底蓋と、前記正面壁を起立させた姿勢で上面を形成する前記他方の長辺側周壁である上蓋と、前記正面壁を起立させた姿勢でこのケース本体を保持すべく前記上蓋の後方に配される吊り下げ用パーツとを備え、この吊り下げ用パーツが、前記背壁から一体に延長して設けられたもので前記上蓋の下方に収納可能であるものが望ましい。
【００１２】
ケース本体が、前記短辺側周壁の下端から一体に延長することにより設けられ前記底蓋の内面に添接可能なフラップと、前記底蓋の後端から一体に延長することにより設けられ前記収納空間内に差し入れることが可能な差し込みパーツとを備えているものにおいて、収納空間内に多量の被収納物を収納した場合にケースの底が抜ける不具合の発生を防ぐためには、この差し込みパーツが、その基端部の左右両端に前記フラップの後端部と係り合うことが可能な切込みを有するものが望ましい。
【考案の効果】
【００１３】
本考案によれば、収納空間内の被収納物の量に関わらず被収納物と前記取出用開口とを接近させて被収納物を取り出しやすくすることができる構成のケースを提供することができる。
【図面の簡単な説明】
【００１４】
【図１】本考案の一実施形態を示す斜視図。
【図２】同実施形態を示す正面図。
【図３】図２におけるＡ−Ａ断面図。
【図４】同実施形態に係るケースを形成するシート素材の内面側を示す展開図。
【図５】同実施形態に係るケースの組み立て途中の態様を内面側から示す斜視図。
【考案を実施するための形態】
【００１５】
本考案の一実施形態について、図１〜図５を参照しつつ以下に述べる。
【００１６】
本実施形態のケース１は、図１〜図３に示すように、積層されたティッシュペーパー等の被収納物Ｔを収納するための収納空間２ｓを内部に形成すべく１枚のシート素材Ｓを箱形に折り曲げてなりその正面に前記収納空間２ｓ内の被収納物Ｔを順次外部に取り出すための取出用開口４ａを備えたケース本体２と、このケース本体２を構成する前記シート素材Ｓを一体に延長することにより前記収納空間２ｓ内に設けられそのシート素材Ｓの弾性反発力を利用して前記被収納物Ｔを前記取出用開口４ａ側に付勢する弾性支持部３とを備えている。
【００１７】
前記ケース本体２は、図１〜図３に示すように、前記取出用開口４ａを有し正面視ほぼ長方形をなす正面壁４と、前記正面壁４の対をなす短辺にそれぞれ連続する対をなす短辺側周壁である左側壁５及び右側壁６と、前記正面壁４の対をなす長辺に上側の面取り部１１及び下側の面取り部１２を介してそれぞれ連続する対をなす長辺側周壁である上蓋７及び底蓋８と、前記一方の短辺側周壁である右側壁６の後辺に連続し前記正面壁４と対向する背壁９と、前記正面壁４を起立させた姿勢で前記上蓋７の後方に配される吊り下げ用パーツ１０とを備えている。前記ケース本体２の外面には、種々の印刷を施すことができる。
【００１８】
前記正面壁４は、図１〜図３に示すように、その中央部に前記取出用開口４ａを有する。この取出用開口４ａは、楕円形をなし、正面側に向けて開口している。この正面壁４の上辺４ｂは、この正面壁４の中央に向けて膨出する曲線状をなしている。さらに、この正面壁４の上辺４ｂには上側の面取り部１１を介して上蓋７が連続している。ここで、前記正面壁４の上辺４ｂは、予め設けられた折り筋Ｌ１に沿って折り曲げられることにより形成されている。前記上側の面取り部１１の上蓋７側の縁部７ａも、予め設けられた折り筋Ｌ５に沿って折り曲げられることにより形成されている。この上側の面取り部１１の上蓋７側の縁部７ａは、前記上蓋７の中央に向けて膨出する曲線状をなしている。すなわち、上側の面取り部１１の形状は扁平なレンズ状をなしている。この正面壁４の下辺４ｃも、この正面壁４の中央に向けて膨出する曲線状をなしている。さらに、この正面壁４の下縁には下側の面取り部１２を介して底蓋８が連続している。ここで、前記正面壁４の下辺４ｃは、予め設けられた折り筋Ｌ２に沿って折り曲げられることにより形成されている。前記下側の面取り部１２の底蓋８側の縁部８ａも、予め設けられた折り筋Ｌ６に沿って折り曲げられることにより形成されている。この下側の面取り部１２の底蓋８側の縁部８ａも、前記底蓋８の中央に向けて膨出する曲線状をなしている。すなわち、下側の面取り部１２の形状も扁平なレンズ状をなしている。そして、この正面壁４の左右方向中間部は、正面側に向けて若干膨出している。また、この正面壁４の左辺４ｄには折り筋Ｌ３を介して左側壁５が連続している。そして、この正面壁４の右辺４ｅには折り筋Ｌ４を介して右側壁６が連続している。これら正面壁４の左辺４ｄ及び右辺４ｅは、前記折り筋Ｌ３、Ｌ４に沿って折り曲げられることによりそれぞれ形成されている。
【００１９】
前記左側壁５は、図１に示すように、その前端側において前記折り筋Ｌ３を介して前記正面壁４と連続している。この左側壁５の上辺５ａからは折り筋Ｌ７を介して上フラップ１３を連続させて設けている。この左側壁５の上辺５ａも、前記折り筋Ｌ７に沿って折り曲げられることにより形成されている。この上フラップ１３は、前記上蓋７の内面に添接可能である。また、この左側壁５の下辺５ｂからは折り筋Ｌ８を介して下フラップ１４を連続させて設けている。この左側壁５の下辺５ｂも、前記折り筋Ｌ８に沿って折り曲げられることにより形成されている。この下フラップ１４は、前記底蓋８の内面に添接可能である。
【００２０】
前記右側壁６も、図３に示すようにその前端側において前記折り筋Ｌ４を介して前記正面壁４と連続している。この右側壁６の上辺６ａからも折り筋Ｌ１０を介して上フラップ１３を連続させて設けている。この右側壁６の上辺６ａも、前記折り筋Ｌ１０に沿って折り曲げられることにより形成されている。この上フラップ１３は、前記上蓋７の内面に添接可能である。また、この右側壁６の下辺６ｂからも折り筋Ｌ１１を介して下フラップ１４を連続させて設けている。この右側壁６の下辺６ｂも、前記折り筋Ｌ１１に沿って折り曲げられることにより形成されている。この下フラップ１４は、前記底蓋８の内面に添接可能である。この右側壁６の後辺６ｃには折り筋Ｌ１２を介して背壁９が連続している。この右側壁６の後辺６ｃも、前記折り筋Ｌ１２に沿って折り曲げられることにより形成されている。
【００２１】
前記背壁９は、図４及び図５に展開図として示すように、長方形状をなしている。前述したようにこの背壁９は前記折り筋Ｌ１２を介して前記右側壁６に連続している。一方、この背壁９の左側壁５に向かう側には、折り筋Ｌ１３を介して上下に対をなす差し込み突起２１が連続している。また、前記左側壁５の後辺５ｃには、折り筋Ｌ９を介して側差し込みパーツ２２が連続して設けられている。この折り筋Ｌ９上の前記差し込み突起２１に対応する高さ位置に、前記差し込み突起２１と係り合うことが可能な差し込みスリット２３を設けている。これら差し込み突起２１及び差し込みスリット２３は、互いに係り合うことにより、この背壁９と前記左側壁５との間を互いにつなぎ合わせている。そして、この背壁９の上端からは、折り筋Ｌ１４を介して吊り下げ用パーツ１０が連続している。
【００２２】
前記吊り下げ用パーツ１０は、図１及び図３に示すように、前記背壁９の上端から一体に延長しているとともに、前記正面壁４を起立させた姿勢で前記上蓋７の後方に配される。この吊り下げ用パーツ１０と前記背壁９とは、前記折り筋Ｌ１４を介して連続している。また、この吊り下げ用パーツ１０は、建築壁面に設けたピンやフックといった吊り下げ用具に係り合わせるための孔１０ａを中央部に備えている。そして、この吊り下げ用パーツ１０は、前記折り筋Ｌ１４に沿って前方に折り曲げ、前記上蓋７の下方に収納することができる。
【００２３】
前記上蓋７は、図１に示すように、平面視ほぼ長方形をなしており、上述したようにその前辺において上側の面取り部１１を介して前記正面壁４と連続している。この上蓋７の前辺は、前記上側の面取り部１１との境界をなしており、この上蓋７の中央に向けて膨出する曲線状をなしている。また、この上蓋７の後辺７ｂからは、折り筋Ｌ１５を介して上差し込みパーツ１５が一体に延長して設けられている。この上差し込みパーツ１５は、前記収納空間２ｓ内に差し入れることが可能である。
【００２４】
前記底蓋８は、平面視ほぼ長方形をなしており、図３に示すようにその前辺において下側の面取り部１２を介して前記正面壁４と連続している。この底蓋８の前辺は、前記下側の面取り部１２との境界をなしており、この底蓋８の中央に向けて膨出する曲線状をなしている。また、この底蓋８の後辺８ｂからは、折り筋Ｌ１６を介して下差し込みパーツ１６が一体に延長して設けられている。この下差し込みパーツ１６も、前記収納空間２ｓ内に差し入れることが可能である。加えて、この下差し込みパーツ１６は、基端部の左右両端に切込み１６ａを有する。この切込み１６ａは、前記収納空間２ｓ内に下差し込みパーツ１６が差し入れられた状態で前記下フラップ１４の後端部１４ａと係り合う。そして、この下差し込みパーツ１６は、前記収納空間２ｓ内に差し入れられた状態で、前記弾性支持部３を構成する下ばね部材１８に添接する。
【００２５】
前記弾性支持部３は、図３に示すように、前記ケース本体２の背壁９の上辺９ｂ及び下辺９ｃから一体に延長することにより前記収納空間２ｓ内に設けられており、この弾性支持部３を構成するシート素材Ｓの弾性反発力を利用して前記被収納物Ｔを前記取出用開口４ａ側に付勢する。この弾性支持部３は、背壁９の上辺９ｂ及び下辺９ｃからそれぞれ延出し蛇腹状に折り曲げられた対をなす上ばね部材１７及び下ばね部材１８と、これら対をなす上ばね部材１７及び下ばね部材１８の先端縁にそれぞれ設けられ被収納物Ｔを押圧する平板状の押し板である上押し板１９及び下押し板２０とを備えている。
【００２６】
前記上ばね部材１７は、図３に示すように、前記背壁９との境界に位置し山折りされた基端側折り筋１７ａと、前記上押し板１９との境界に位置し山折りされた先端側折り筋１７ｂと、これら基端側折り筋１７ａと先端側折り筋１７ｂとの間に位置し谷折りされた中間折り筋１７ｃとを備えてなる３段折りの蛇腹状のものである。これら基端側折り筋１７ａ、先端側折り筋１７ｂ及び中間折り筋１７ｃは、この上ばね部材１７を構成する紙製のシート素材Ｓの紙目に直交する方向に伸びている。そのため、上ばね部材１７の弾性力が向上する。また、前記基端側折り筋１７ａは、前記背壁９と前記吊り下げパーツ１０との境界を形成する折り筋Ｌ１４を挟んで左右両側に分かれている。前記基端側折り筋１７ａと前記折り筋Ｌ１４とは同一直線状に配されている。この上ばね部材１７から、前記吊り下げパーツ１０が切り起こして設けられている。そして、この上ばね部材１７の先端側折り筋１７ｂから、前記上押し板１９を連続させて設けている。
【００２７】
前記上押し板１９は、図３に示すように、前記上ばね部材１７の先端側折り筋１７ｂから下方に伸びており、前記収納空間２ｓの幅寸法と略同一の幅寸法及び前記収納空間２ｓの高さ寸法よりも若干小さな高さ寸法を有する。この上押し板１９は、正面側で被収納物Ｔの背面にほぼ全面的に衝き当たる。また、この上押し板１９は前記上ばね部材１７から正面側に向かう弾性付勢力を受けており、前記被収納物Ｔを正面側すなわち取出用開口４ａに向かう側に弾性付勢する。
【００２８】
前記下ばね部材１８は、図３に示すように、前記背壁９との境界に位置し山折りされた基端側折り筋１８ａと、前記上押し板２０との境界に位置し山折りされた先端側折り筋１８ｂと、これら基端側折り筋１８ａと先端側折り筋１８ｂとの間に位置し谷折りされた中間折り筋１８ｃとを備えてなる３段折りの蛇腹状のものである。これら基端側折り筋１８ａ、先端側折り筋１８ｂ及び中間折り筋１８ｃは、この下ばね部材１８を構成する紙製シート素材Ｓの紙目に直交する方向に伸びている。そのため、上ばね部材１７の場合と同様に下ばね部材１８の弾性力が向上する。そして、この下ばね部材１８の先端側折り筋１８ｂから、前記下押し板２０を連続させて設けている。
【００２９】
前記下押し板２０は、図３に示すように、前記下ばね部材１８の先端側折り筋１８ｂから上方に伸びており、前記収納空間２ｓの幅寸法と略同一の幅寸法及び前記上押し板１９の高さ寸法よりも小さな高さ寸法を有する。この下押し板２０は、前記上押し板１９の背面側に衝き当たる。また、この下押し板２０も前記下ばね部材１８から正面側に向かう弾性付勢力を受けている。すなわち、この下押し板２０は、前記上押し板１９の背面の下部を正面側すなわち取出用開口４ａに向かう側に弾性付勢する。
【００３０】
ここで、前記ケース本体２に設けた各折り筋Ｌ１〜Ｌ１６並びに前記弾性支持部３の基端側折り筋１７ａ、１８ａ、先端側折り筋１７ｂ、１８ｂ及び中間折り筋１７ｃ、１８ｃは、いずれも、これらシート本体２及び弾性支持部３を形成するシート素材Ｓの外面に溝状に設けたものである。
【００３１】
次いで、このケース１の組み立ての手順を、図４及び図５を参照しつつ以下に述べる。
【００３２】
まず、図４に示すように、初期段階においては、ケース本体２と弾性支持部３とがシート素材Ｓから打ち抜いた平板状をなしている。ここで、図４に示す状態の幅寸法及び高さ寸法は、オンデマンド印刷に対応できるように、また紙の無駄を低減できるように、それぞれ菊判四つ切り用紙の長辺（４６９ｍｍ）及び短辺（３１８ｍｍ）よりも小さな値に設定されている。この初期状態から、図５に示すように、前記基端側折り筋１７ａ、１８ａ及び先端側折り筋１７ｂ、１８ｂを山折りし、中間折り筋１７ｃ、１８ｃを谷折りすることにより、前記上ばね部材１７、前記上押し板１９、前記下ばね部材１８及び前記下押し板２０からなる弾性支持部３を形成する。次いで、ケース本体２の各部の境界をなす折り筋Ｌ１〜Ｌ１６をそれぞれ山折りするとともに、吊り下げ用パーツ１０を前記上ばね部材１７から切り起こす。その状態で、側差し込みパーツ２１を背壁９の内面に添接させつつ前記差し込み突起２２を前記差し込みスリット２３に係り合わせることにより、背壁９と左側壁５とをつなぎ合わせる。しかる後、左右両側壁５、６の上下両側にそれぞれ連続する上フラップ１３及び下フラップ１４を内側に折り曲げ、下差し込みパーツ１６を収納空間２ｓ内に差し入れて下ばね部材１８に添接させ、下差し込みパーツ１６の切込み１６ａに下フラップ１４の後端部１４ａを係り合わせる。そして、前記上押し板１９と前記正面壁４との間の空間に被収納物Ｔを挿入し、上差し込みパーツ１５を収納空間２ｓ内に差し入れて上ばね部材１７に添接させると、図１〜図３に示すような完成状態となる。このような状態において、前記吊り下げ用パーツ１０の開口１０ａと建築壁面に設けたピンやフックに代表される吊り下げ具とを係わり合わせることにより、ケース本体２が前記正面壁４を起立させた姿勢で保持される。なお、正面壁４の外面を上向きとし、背壁９の外面を下向きとして天板面等の平坦面上に載せ置いて使用する場合には、前記吊り下げ用パーツ１０を前記背壁９との境界に設けた折り筋Ｌ１４に沿って収納空間２ｓ内に向けて折り曲げ、上蓋７の下方に収納することも可能である。
【００３３】
被収納物Ｔを補充する際には、上蓋７を開き、上押し板１９を背面側に押しのけつつ被収納物Ｔをこの上押し板１９と前記正面壁４との間に形成された空間内に挿入する。
【００３４】
以上に述べたように、本実施形態の構成によれば、被収納物Ｔは弾性支持部３により取出用開口４ａ側に弾性的に付勢されているので、収納空間２ｓ内の被収納物Ｔの量に関わらず正面側に位置する被収納物Ｔが常時取出用開口４ａにほぼ密接した状態に維持されている。従って、収納空間２ｓ内の被収納物Ｔの量に関わらず被収納物Ｔを取り出しやすくなる。
【００３５】
特に本実施形態の構成では、前記弾性支持部３が、背壁９の上辺９ｂ及び下辺９ｃからそれぞれ延出し蛇腹状に折り曲げられた上ばね部材１７及び下ばね部材１８と、これら上ばね部材１７及び下ばね部材１８の先端縁にそれぞれ設けられ前記被収納物Ｔを押圧する平板状の上押し板１９及び下押し板２０とを備えている。従って、前記上ばね部材１７及び下ばね部材１８を、前記先端側折り筋１７ｂ、１８ｂと前記中間折り筋１７ｃ、１８ｃとの間の部位と、前記中間折り筋１７ｃ、１８ｃと前記先端側折り筋１７ｂ、１８ｂとの間の部位と、上押し板１９又は下押し板２０とが互いに略隙間なく接する状態となるまで、弾性反発力を維持させつつ変形させることができる。従って、前述した基本的な作用効果を維持しつつ、被収納物Ｔを収納可能な収納空間２ｓの実質的な容量を大きくすることができる。
【００３６】
その上、前記上ばね部材１７及び下ばね部材１８を、以上説明したような３段折りの蛇腹状にしておけば、上押し板１９及び下押し板２０を最大限背壁９側に移動させた際の上ばね部材１７及び下ばね部材１８の奥行き寸法を小さく、すなわち被収納物Ｔを収納可能な収納空間２ｓの実質的な容量をさらに大きくしつつ、これら上ばね部材１７及び下ばね部材１８による弾性付勢力を適度な範囲に設定しこの弾性付勢力に抗して収納空間２ｓ内に被収納物Ｔを挿入しやすくすることができる。
【００３７】
また、上押し板１９が下押し板２０よりも大きく、上押し板１９の幅寸法を前記収納空間２ｓの幅寸法と略同一の幅寸法に設定しているとともに、上押し板１９の高さ寸法を前記収納空間２ｓの高さ寸法よりも若干小さな高さ寸法に設定し、下押し板２０を上押し板１９の後方に配しているので、被収納物Ｔが上押し板１９のみにより直接保持されることとなり、被収納物Ｔが安定的に保持されることとなる。
【００３８】
また、前記正面壁４の上辺４ｂ及び下辺４ｃの形状を該正面壁４の中央に向けて膨出する曲線状にし、この正面壁４の左右方向中間部を正面側に向けて若干膨出させているので、収納空間２ｓ内に多量の被収納物Ｔを収納した場合であってもケース本体２の型崩れを軽減することができる。
【００３９】
さらに、前述したような吊り下げ用パーツ１０を設けておけば、このケース１を壁面に吊り下げて前記正面壁４を起立させた姿勢に保持させた態様で使用できる。また、前記吊り下げ用パーツ１０を前記上蓋７の下方に収納可能であるので、正面壁４の外面を上向きとし背壁９の外面を下向きとして天板面等の平坦な面上に載せ置く態様でも使用でき、しかもそのような使用態様での美装性を確保することもできる。
【００４０】
そして、上述したような下差し込みパーツ１６の切込み１６ａに下フラップ１４の後端部１４ａを係わり合わせ、下フラップ１４の後端部１４ａを前記底蓋８と前記下差し込みパーツ１６とにより挟み込ませることにより底蓋８が開くことを抑止しているので、前記収納空間２ｓ内に多量の被収納物Ｔを収納した場合にケース１の底が抜ける不具合の発生を防ぐことができる。
【００４１】
加えて、前記上ばね部材１７及び下ばね部材１８を構成する基端側折り筋１７ａ、１８ａ、先端側折り筋１７ｂ、１８ｂ及び中間折り筋１７ｃ、１８ｃは、この下ばね部材１８を構成する紙製シート素材Ｓの紙目に直交する方向に伸びているので、前記上ばね部材１７及び下ばね部材１８がばねとして機能する期間をより長くすることができる。
【００４２】
なお、本考案は以上に述べた実施形態に限らない。
【００４３】
例えば、上述した実施形態では、ケース本体の背壁の対向する両側縁に前記弾性支持部を一体に設けているが、前記背壁の一側縁のみに前記弾性支持部を設けるようにしてもよい。また、前記弾性支持部のばね部材は、上述した実施形態のような蛇腹状に限らず、Ｚ字状や、湾曲した板ばね状のものにするなど、種々変形が可能である。前記ばね部材を蛇腹状にする場合であっても、３段折りに限らず、４段折り以上であってもよい。
【００４４】
前記弾性支持部は、対をなすばね部材と、対をなす押し板とからなるものに限られない。なお、対をなすばね部材と、対をなす押し板とから構成する場合であっても、被収納物の片側を一方の押し板により直接押圧し、他方の片側を他方の押し板により直接押圧するようにしてもよい。
【００４５】
ケース本体は、前記実施形態のものに限られず、１枚のシート素材から箱形に形成されるものであればどのようなものであってもよい。例えば、ケース本体の正面壁の各長辺の形状は、直線状、又は屈曲線状としてもよい。また、吊り下げ用パーツは省略してももちろんよい。そして、特に吊り下げ用パーツを省略し、正面壁の外面を専ら上向きにして使用するケースにおいては、底蓋の後端から一体に延長することにより設けられた差し込みパーツの切込みを省略してもかまわない。
【００４６】
そして、被収納物は積層されたティッシュペーパーに限らず、例えば、ティッシュペーパー、ペーパータオル及びシート状の綿等、複数個を積層して順次取り出されるものであれば何でもよい。
【００４７】
さらに、上述した実施形態では、加工工数の削減を図るべく、シート素材の一方の面に全ての折り筋を溝状に形成しているが、一部の折り筋のみをシート素材の他方の面に溝状に形成してもよい。例えば、ばね部材の中間折り筋のみをシート素材の他方の面に溝状に形成してもよい。
【００４８】
その他、本考案の趣旨を損ねない範囲で種々に変更してよい。
【符号の説明】
【００４９】
１…ケース
２…ケース本体
２ｓ…収納空間
３…弾性支持部
４ａ…取出用開口
Ｓ…ケース素材
【図１】
0003177808.tif 000003
【図２】
0003177808.tif 000004
【図３】
0003177808.tif 000005
【図４】
0003177808.tif 000006
【図５】
0003177808.tif 000007